(57)【特許請求の範囲】
【請求項１】
一側が開口され、内部の少なくとも一空間に経血を収容する保存部と、 
前記保存部に収容された経血の水位及び体積の少なくとも一つを測定するように構成された前記保存部の内面に形成された複数のセンサと、
前記経血の水位及び体積の少なくとも一つの情報を生成するように構成された制御部と、を含むスマート生理カップ。 
【請求項２】
前記保存部及び前記制御部の間に配置され、前記保存部に収容された経血が、前記制御部に流出することを防止する区画部をさらに含むことを特徴とする請求項１に記載のスマート生理カップ。
【請求項３】
前記制御部は、第１基板、前記第１基板の一面に具備されるバッテリ部、前記バッテリ部の一面に具備される第２基板、及び前記第１基板と前記第２基板とを電気的に連結するように構成された連結部を含む請求項２に記載のスマート生理カップ。
【請求項４】
前記制御部と電気的に連結され、前記制御部で生成する情報を端末機に送信するように構成された通信部をさらに含むことを特徴とする請求項１に記載のスマート生理カップ。
【請求項５】
前記保存部における経血色相を測定するように構成された色相感知センサを更に含み、
前記制御部は、前記色相感知センサを介して測定された経血色相情報及び前記色相情報から獲得された経血色相による健康情報の少なくとも一つを生成するように構成された請求項１に記載のスマート生理カップ。
【請求項６】
前記保存部における経血の重さを測定するように構成された重さ感知センサを更に含み、 
前記制御部は、前記保存部における測定された経血の重さ情報を生成するように更に構成された請求項１に記載のスマート生理カップ。
【請求項７】
前記経血の水位及び体積の少なくとも一つの生成された情報に基づくハプティック信号を生成するように構成された感覚信号発生部を更に含むことを特徴とする請求項１に記載のスマート生理カップ。
【請求項８】
前記経血の水位及び体積の少なくとも一つの生成された情報を基に、人間の五感のうち少なくとも一つで感知することができる感覚信号を発するように構成された感覚信号発生部をさらに含むことを特徴とする請求項１に記載のスマート生理カップ。
【請求項９】
前記保存部は、前記保存部の開口されている一側から、第１距離離れた位置の周囲が、前記保存部の開口されている一側から、前記第１距離より長い第２距離離れた位置の周囲より長いことを特徴とする請求項１に記載のスマート生理カップ。
【請求項１０】
前記保存部は、前記保存部の開口されている一側から、第１距離離れた位置での断面の面積が、前記保存部の開口されている一側から、前記第１距離より長い第２距離離れた位置での断面の面積より広いことを特徴とする請求項１に記載のスマート生理カップ。
【請求項１１】
スマート生理カップを利用した経血測定方法で、 
前記スマート生理カップの保存部により、内部に経血を収容する段階と、 
前記スマート生理カップの複数のセンサにより、前記保存部に保存された前記経血の水位及び体積の少なくとも一つを測定する段階と、を含み、
前記複数のセンサは、前期保存部の内面に形成されており、 
前記スマート生理カップの制御部により、前記経血の水位及び体積の少なくとも一つの情報を生成する段階を含む、スマート生理カップを利用した経血測定方法。
【請求項１２】
色相感知センサを利用して、前記経血色相を測定する段階を更に含み、 
前記色相感知センサを介して測定された経血色相情報及び前記色相情報から獲得された経血色相による健康情報の少なくとも一つを生成する段階を含むことを特徴とする請求項１１に記載のスマート生理カップを利用した経血測定方法。
【請求項１３】
重さ感知センサを利用して、前記保存部における前記経血の重さを測定する段階を更に含み、 
前記保存部における測定した前記経血の重さ情報を生成する段階を含むことを特徴とする請求項１１に記載のスマート生理カップを利用した経血測定方法。
【請求項１４】
前記生成する段階後、前記経血の水位及び体積の少なくとも一つの生成された情報に基づくハプティック信号を生成する段階を更に含むことを特徴とする請求項１１に記載のスマート生理カップを利用した経血測定方法。
【請求項１５】
前記生成する段階後、 
前記経血の水位及び体積の少なくとも一つの生成された情報を基に、人間の五感のうち少なくとも一つで感知することができる感覚信号を発する段階をさらに含むことを特徴とする請求項１１に記載のスマート生理カップを利用した経血測定方法。
【発明の詳細な説明】
【技術分野】
【０００１】
本発明は、スマート生理カップ、及びスマート生理カップを利用した経血測定方法に関する。
【背景技術】
【０００２】
女性が生理時に、さらに衛生的であって快適な活動のために、経血が膣外部に漏れることを防止する生理用ナプキン、生理カップ及びタンポンのような経血漏れ防止ツールが使用されてきた。
【０００３】
そのうち生理用ナプキンは、着用が不便であり、経血が外部に漏れる場合が発生しうるという短所があり、タンポンの場合、時として、毒性ショック症侯群を誘発しうるという問題点がある。生理カップは、膣内部に挿入され、経血が外部に漏れることを防ぎ、ユーザの生活にきたす支障をより少なくするいう長所があるが、他の経血漏れ防止ツールと同様に、除去前には、生理量を把握し難いという短所がある。
【０００４】
また、経血色を正しく把握することができるならば、当該女性の健康状態などに係わる情報を確認することができる。ただし、従来の経血漏れ防止ツールを使用するならば、経血色を把握し難いという短所がある。
【０００５】
経血漏れ防止ツール除去前に、生理量を把握することができるならば、経血漏れ防止ツール管理がさらに便利になるであろう。また、経血色を正しく把握することができるならば、健康状態を確認することができるという長所がある。
【０００６】
前述の背景技術は、発明者が本発明導出のために保有していたり、本発明の導出過程で習得したりした技術情報であって、必ずしも本発明の出願前に一般公衆に公開された公知技術と言えるものではない。
【発明の概要】
【発明が解決しようとする課題】
【０００７】
本発明の実施形態は、生理カップ除去前にも、生理量、経血色または生理周期などを把握することを可能にするスマート生理カップを提供するものである。
【０００８】
本発明の実施形態は、経血漏れ防止ツール除去前にも、生理量を把握することができる方法を提供し、生理カップの管理時期に係わる情報を提供することができるスマート生理カップを提供するものである。
【０００９】
本発明の実施形態は、経血色を正しく把握することができる方法を提供し、ユーザの健康状態などに係わる情報を提供することができるスマート生理カップを提供するものである。
【００１０】
本発明の実施形態は、生理カップに保存された経血の量や重さなどにより、ユーザに適切な感覚信号を提供し、ユーザが生理カップの管理時期などを把握することを可能にするスマート生理カップを提供するものである。
【課題を解決するための手段】
【００１１】
本発明の一実施形態は、一側が開口され、内部の少なくとも一空間に経血を収容する保存部と、前記保存部に収容された経血を測定する測定部と、前記測定部による測定情報、または前記測定情報を基に獲得された加工情報を基に信号を生成する制御部と、を含むスマート生理カップを開示する。
【００１２】
前記保存部及び前記測定部の間に配置され、前記保存部に収容された経血が、前記測定部または前記制御部に流出することを防止する区画部をさらに含んでもよい。
【００１３】
前記制御部は、第１基板、前記第１基板の一面に具備されるバッテリ部、前記バッテリ部の一面に具備される第２基板、及び前記第１基板と前記第２基板とを電気的に連結する連結部を含み、前記測定部は、前記第１基板上にも形成される。
【００１４】
前記制御部と電気的に連結され、前記制御部で生成する信号を端末機に送信する通信部をさらに含んでもよい。
【００１５】
前記測定部は、色相感知センサを含み、前記制御部は、前記色相感知センサを介して測定された経血色相情報自体を含むデータ信号、または前記色相情報から獲得された経血色相による健康情報を含むデータ信号を生成することができる。
【００１６】
前記測定部は、重さ感知センサを含み、前記制御部は、前記重さ感知センサを介して測定された経血の重さ情報自体を含むデータ信号、または前記経血の重さが所定の基準重さを超えるか否かということにより、お知らせ信号を生成することができる。
【００１７】
前記測定部は、前記保存部で経血が収容される内面に形成されるセンサであり、前記制御部は、前記測定部によって測定された経血の水位、量または体積が基準値を超えるか否かということにより、お知らせ信号を生成することができる。
【００１８】
前記制御部で生成する信号を基に、人間の五感のうち少なくとも一つで感知することができる感覚信号を発する感覚信号発生部をさらに含んでもよい。
【００１９】
前記保存部は、前記保存部の開口されている一側から、第１距離離れた位置の周囲が、前記保存部の開口されている一側から、前記第１距離より長い第２距離離れた位置の周囲より長くともよい。
【００２０】
前記保存部は、前記保存部の開口されている一側から、第１距離離れた位置での断面の面積が、前記保存部の開口されている一側から、前記第１距離より長い第２距離離れた位置での断面の面積より広くてもよい。
【００２１】
本発明の他の実施形態は、スマート生理カップを利用した経血測定方法であって、前記スマート生理カップの保存部により、内部に経血を収容する段階と、前記スマート生理カップの測定部により、前記保存部に保存された前記経血を測定する段階と、前記スマート生理カップの制御部により、前記測定部による測定情報、または前記測定情報を基に獲得された加工情報を基に信号を生成する段階と、を含むスマート生理カップを利用した経血測定方法を開示する。
【００２２】
前記測定する段階は、色相感知センサを利用して、前記経血色相を測定する段階を含み、前記生成する段階は、測定した前記経血色相情報自体を含むデータ信号、または前記色相情報から獲得された経血色相による健康情報を含むデータ信号を生成する段階を含んでもよい。
【００２３】
前記測定する段階は、重さ感知センサを利用して、前記経血の重さを測定する段階を含み、前記生成する段階は、測定した前記経血の重さ情報自体を含むデータ信号、または前記経血の重さが所定の基準重さを超えるか否かということにより、お知らせ信号を生成する段階を含んでもよい。
【００２４】
前記測定する段階は、前記保存部の内面に形成されたセンサを利用して、前記経血の水位、量または体積を測定する段階を含み、前記生成する段階は、測定した前記経血の水位、量または体積に係わる情報自体を含むデータ信号、または前記経血の壌夷所定の基準値を超えるか否かということにより、お知らせ信号を生成する段階を含んでもよい。
【００２５】
前記生成する段階後、前記スマート生理カップの感覚信号発生部により、前記制御部で生成する信号を基に、人間の五感のうち少なくとも一つで感知することができる感覚信号を発する段階をさらに含んでもよい。
【００２６】
前述のところ以外の他の側面、特徴、利点は、以下の図面、特許請求の範囲、及び発明の詳細な説明から明確になるであろう。
【発明の効果】
【００２７】
かような本発明により、生理カップ除去前にも、生理量、経血色または生理周期などを把握することを可能にするスマート生理カップを提供を提供することができる。
【００２８】
また本発明により、経血漏れ防止ツール除去前にも、生理量を把握することができる方法を提供し、生理カップの管理時期に係わる情報を提供することができるスマート生理カップを提供することができる。
【００２９】
また本発明により、経血色を正しく把握することができる方法を提供し、ユーザの健康状態などに係わる情報を提供することができるスマート生理カップを提供することができる。
【００３０】
また本発明により、生理カップに保存された経血の量や重さなどにより、ユーザに適切な感覚信号を提供し、ユーザが生理カップの管理時期などを把握することを可能にするスマート生理カップを提供することができる。
【図面の簡単な説明】
【００３１】
【図１】本発明の一実施形態によるスマート生理カップを示した斜視図である。
【図２】本発明の一実施形態によるスマート生理カップを示した断面図である。
【図３】本発明の一実施形態によるスマート経血管理システムを示した図面である。
【図４】本発明の一実施形態によるスマート生理カップの構成要素を示した図面である。
【図５】本発明の一実施形態によるスマート生理カップの構成要素を示した図面である。
【図６】本発明の一実施形態によるスマート生理カップの構成要素を示した図面である。
【図７】本発明の他の実施形態によるスマート生理カップを示した図面である。
【図８】本発明の他の実施形態によるスマート生理カップの制御部及びその他構成要素を示した図面である。
【図９】本発明のさらに他の実施形態によるスマート生理カップを示した図面である。
【発明を実施するための形態】
【００３２】
本発明は、多様な変換を加えることができ、さまざまな実施形態を有することができるが、特定実施形態を図面に例示し、詳細な説明によって詳細に説明する。本発明の効果、特徴、及びそれらを達成する方法は、図面と共に詳細に後述されている実施形態を参照すれば、明確になるであろう。しかし、本発明は、以下で開示される実施形態に限定されるものではなく、多様な形態にも具現される。以下の実施形態において、第１、第２のような用語は、限定的な意味ではなく、１つの構成要素を他の構成要素と区別する目的に使用されている。また、単数の表現は、文脈上明白に異なって意味しない限り、複数の表現を含む。また、「含む」または「有する」というような用語は、明細書上に記載された特徴または構成要素が存在するということを意味するものであり、１以上の他の特徴または構成要素が付加される可能性をあらかじめ排除するものではない。また、図面においては、説明の便宜のために、構成要素がその大きさが誇張されていたり縮小されていたりする。例えば、図面に示された各構成の大きさ及び厚みは、説明の便宜のために任意に示されており、本発明は、必ずしも図示されたところに限定されるものではない。
【００３３】
以下、添付された図面を参照し、本発明の実施形態について詳細に説明するが、図面を参照して説明するとき、同一であるか、あるいは対応する構成要素は、同一図面符号を付し、それに係わる重複説明は省略する。
【００３４】
図１は、本発明の一実施形態によるスマート生理カップを示した斜視図であり、図２は、本発明の一実施形態によるスマート生理カップを示した断面図である。
【００３５】
図１及び図２を参照すれば、本発明の一実施形態によるスマート生理カップ１００は、保存部２００及び取っ手部３００を含んでもよい。また、スマート生理カップ１００は、通信部３５０及び制御部４００をさらに含んでもよい。
【００３６】
本発明の一実施形態によるスマート生理カップ１００は、カップ形状に製作され、一側（以下、上側とも表現される）が開口され、内部に経血を収容することができる空間が形成される。スマート生理カップ１００は、上側が開口され、内部に経血を収容することができる保存部２００が形成される。スマート生理カップ１００は、上側直径が下側に行くほどだんだんと狭くなる形態にも製作される。または、スマート生理カップ１００は、開口されている一側から、第１距離離れた位置での保存部２００の周囲が、開口されている一側から、第１距離より長い第２距離離れた位置での保存部２００の周囲よりさらに長くともよい。すなわち、正しい挿入及び固定のために、スマート生理カップ１００は、少なくとも一部領域においては、開口部と近い部分での周囲が、開口部と遠い部分での周囲より長くともよい。他の例示において、図２の軸Ａに垂直断面を基準に、生理カップ１００の開口されている一側から、第１距離離れた位置での断面の面積が、開口されている一側から、第１距離より長い第２距離離れた位置での断面の面積より広くなる。ただし、本発明によるスマート生理カップ１００は、かような形態に限定されるものではなく、多様な形状にも製作される。以下では、上側部分での周囲が、下側部分での周囲より長い形態を例示にして説明する。
【００３７】
スマート生理カップ１００は、曲がった状態で膣内に挿入されるように、手軽く曲げることができるゴムまたはシリコンのように弾性を有する材質によっても製作される。ただし、必ずしもゴムまたはシリコンのような材質に限定されるものではなく、多様な他の材質によっても製作される。また、スマート生理カップ１００の一部分だけ弾性を有する材質によっても製作され、残り一部分は、弾性を有さない物質によっても製作される。
【００３８】
スマート生理カップ１００のユーザは、スマート生理カップ１００を膣内に挿入して固定させることができ、スマート生理カップ１００の上側に形成された開口部を介して、経血が保存部２００に保存されるようにし、経血がユーザの膣外部に漏れることを防止することができる。
【００３９】
スマート生理カップ１００は、底面に、ユーザがさらに容易にスマート生理カップ１００を具備したり、挿入したり、除去したりするための取っ手部３００をさらに含んでもよい。取っ手部３００は、スマート生理カップ１００の底面から、保存部２００の開口部と反対方向に突出する形状にも製作される。取っ手部３００は、柱状や環状など、手にしたり、手を利用してスマート生理カップを取り扱うのに容易な多様な形状にも製作される。ただし、以下では、取っ手部３００が柱状である場合を例示として説明する。
【００４０】
通信部３５０は、制御部４００と電気的に連結され、制御部４００で生成する信号を外部に送信することができる。通信部３５０は、スマート生理カップ１００と分離されている外部電子装置に信号を送信することができる。例えば、通信部３５０は、スマート生理カップ１００を使用するユーザの端末機（例えば、スマートフォンなど）に制御部４００で生成する信号を送信することができる。
【００４１】
通信部３５０は、スマート生理カップ１００の取っ手部３００の内側を介して延びるようにも製作される。このとき、通信部３５０は、取っ手部３００の内側を介して、スマート生理カップ１００の底面まで延長されるようにも製作される。それは、通信部３５０が膣内部にだけ位置していれば、外部に位置する電子装置との無線通信が困難になるためである。ただし、それは一実施形態に過ぎず、通信部３５０は、制御部４００内部にも含まれ、その他スマート生理カップ１００の多様な位置にも配置される。また、通信部３５０は、スマート生理カップ１００が身体の外部に位置する場合、それを感知し、そのときにのみユーザ端末機に通信信号を送信することもできる。
【００４２】
通信部３５０は、直線または曲線などの形態によってなり、金属などの物質からなるアンテナ形状にも製作される。また、通信部３５０は、ブルートゥース（Bluetooth）、赤外線、ジグビー（ZigBee）、Ｗｉ−Ｆｉ（wireless fidelity）などの通信手段を利用して、ユーザの端末機と通信を行うための構成要素を含む。
【００４３】
制御部４００は、スマート生理カップ１００に保存された経血と係わる情報を基に、信号を生成することができる。制御部４００は、保存された経血と係わる多様な情報を基にし、多様な信号を生成することができる。制御部４００は、コンピュータプログラムが保存されたコンピュータ読み取り可能な記録媒体を含んでもよい。このとき、当該コンピュータプログラムは、スマート生理カップ１００の多様な構成要素を制御するためのアルゴリズムを具現したコンピュータプログラムでもある。制御部４００は、当該コンピュータ読み取り可能な記録媒体を駆動させるために必要な多様な電子部品を含んでもよい。制御部４００は、当該電子部品が配置された１以上の基板を含んでもよい。
【００４４】
図３は、本発明の一実施形態によるスマート経血管理システムを示した図面である。
【００４５】
図３を参照すれば、本発明の一実施形態によるスマート生理カップ１００は、スマート経血管理システム１の一構成要素として動作することができる。このとき、スマート生理カップ１００で生成された多種の信号は、通信網を介して、外部電子装置１０００にも送信される。選択的には、スマート生理カップ１００は、外部電子装置１０００から通信網を介して信号を受信することもできる。すなわち、スマート生理カップ１００は、スマート生理カップ１００に収容された経血を測定したり分析したりし、スマート生理カップ１００に収容された経血量または経血色に係わる情報を含む信号を生成し、外部電子装置１０００に送信することができる。または、スマート生理カップ１００は、経血量または経血色から得られる多様な身体情報を獲得することができるローデータ（raw data）を含む信号を生成し、外部電子装置１０００に送信することもできる。
【００４６】
図４ないし図６は、本発明の一実施形態によるスマート生理カップの構成要素を示した図面である。
【００４７】
まず、図４を参照すれば、本発明の一実施形態によるスマート生理カップ１００は、保存部２００、取っ手部３００、通信部３５０、制御部４００を含んでもよい。保存部２００には、経血１０が収容される。このとき、保存部２００の下端、及び制御部４００の周辺部分ａに、スマート生理カップ１００の多様な構成要素が配置される。かような保存部２００の下端、及び制御部４００の周辺部分ａに多様な構成要素が配置される例示的な形態について、図５及び図６を介して説明する。
【００４８】
図５を参照すれば、本発明の一実施形態によるスマート生理カップ１００は、保存部２００及び制御部４００の間に配置される領域である区画部１１０をさらに含んでもよい。また、スマート生理カップ１００は、経血の特性を測定するための測定部４１０を含んでもよい。制御部４００は、第１基板４２０、バッテリ部４３０、第２基板４４０及び連結部４５０を含んでもよい。
【００４９】
区画部１１０は、保存部２００に収容された経血が、制御部４００、またはその他スマート生理カップ１００の領域に流出することを防止する役割を行うことができる。このとき、区画部１１０は、スマート生理カップ１００の他の部分と互いに異なる材質によってもも具現される。または、区画部１１０は、スマート生理カップ１００の他の部分と同一材質によって具現され、単にその位置によって特定される領域を意味する。
【００５０】
測定部４１０は、制御部４００上にも形成される。例えば、測定部４１０は、制御部４００の最も上端に配置される第１基板４２０上にも形成される。第１基板４２０の底面は、バッテリ部４３０の一面と電気的にも連結される。または、測定部４１０は、制御部４００に含まれるように、制御部４００の内部にも具現される。また、スマート生理カップ１００は、制御部４００全体、または測定部４１０が具備されるための空間である構成要素配置空間２５０を含むようにも製作される。
【００５１】
図５では、測定部４１０が制御部４００より小サイズに具現されるように図示されているが、それは、一例示に過ぎず、測定部４１０は、制御部４００に類似した大きさ、または制御部４００より大サイズにも製作される。また、図５においては、１つの測定部４１０が制御部４００上に形成されるように図示されているが、それは、一例示に過ぎず、制御部４００上には、２以上の測定部４１０が形成されもする。その場合、２以上の測定部４１０のうち少なくとも一部は、他の測定部４１０と異なる役割を行うこともできる。例えば、１つの測定部４１０は、保存部２００に収容された経血の重さを測定する役割を行い、他の測定部４１０は、保存部２００に収容された経血色を測定する役割を行うことができる。
【００５２】
バッテリ部４３０は、制御部４００、測定部４１０及び／または通信部３５０の駆動のための電力を供給することができる。バッテリ部４３０は、多種のバッテリによっても製作される。例えば、バッテリ部４３０の一面は、正極端子または負極端子であり、他面は、該一面と異なる極性の端子によっても製作される。バッテリ部４３０は、平らな円柱状にも製作されるバッテリでもある。そのとき、バッテリ部４３０の一面は、第１基板４２０と電気的に連結され、バッテリ部４３０の他面は、第２基板４４０と電気的にも連結される。
【００５３】
第２基板４４０は、通信部３５０と電気的にも連結される。第２基板４４０は、第１基板４２０と、連結部４５０を介して電気的にも連結される。連結部４５０は、伝導体によっても製作される。連結部４５０は、フィルム型伝導体、または電線などによっても製作される。かような構造を介して、測定部４１０及び通信部３５０は、バッテリ部４３０から電力を供給される。
【００５４】
選択的には、測定部４１０は、重さ感知センサを含んでもよい。重さ感知センサを含む測定部４１０は、区画部１１０の方向から加えられる重さ（または、力）を感知することができる。具体的には、図６を参照すれば、保存部２００に経血が収容されるほど、区画部１１０は、保存部２００に保存される経血の重さを支え、その結果、区画部１１０が構成要素配置空間２５０側に移動する。それにより、区画部１１０が、構成要素配置空間２５０側に移動されながら、測定部４１０を押す力が発生する。測定部４１０に含まれる重さ感知センサは、測定部４１０を押す力を、電気的または物理的に感知することができる。
【００５５】
制御部４００は、測定部４１０を介して測定された重さを基に、信号を生成することができる。例えば、制御部４００は、測定部４１０を介して測定された重さに比例して変化する数値、色相、幾何学的図形、音、振動程度などに係わる情報を含む信号を生成することができる。制御部４００で生成された信号は、通信部３５０を介して、外部電子装置にも送信される。このとき、外部電子装置は、受信した信号に含まれている情報を確認し、ユーザに出力することができる。例えば、制御部４００は、測定部４１０を介して測定された重さに比例して変化する数値情報を含む信号を生成することができる。その場合、外部電子装置は、当該数値を視覚的に表示することができ、スマート生理カップ１００のユーザは、当該数値を確認することにより、現在スマート生理カップ１００に収容された経血量を確認することができる。他の例示として、制御部４００は、測定部４１０を介して測定された重さが、基準重さを超えるか否かということにより、お知らせ信号を生成することができる。その場合、外部電子装置は、当該お知らせ信号が受信される場合、聴覚的、視覚的または触覚的な刺激をスマート生理カップ１００のユーザに提供し、現在スマート生理カップ１００に収容された経血の重さが基準重さを超えたという情報を提供することができる。
【００５６】
一方、経血の重さにより、区画部１１０が構成要素配置空間２５０側に移動するとき、測定部４１０の広さが、区画部１１０の広さより狭い場合、正確な重さ測定が困難である。従って、かような問題点を解決するために、生理カップの区画部１１０の底面に、測定部４１０自体、または測定部４１０に含まれる重さ感知センサの大きさに対応する大きさの突出部１１１が製作されてもよい。具体的には、測定部４１０自体、または測定部４１０の広さが区画部１１０の広さより狭い場合、区画部１１０の移動程度による重さ変化を正しく感知し難い。従って、スマート生理カップ１００は、測定部４１０自体、または測定部４１０に含まれる重さ感知センサより大きさが小さい突出部１１１を含んでもよい。
【００５７】
一方、第２基板４４０及び／またはバッテリ部４３０は、スマート生理カップ１００に固定されるようにも製作される。具体的には、区画部１１０が経血１０の重さによって下側に移動するが、もし第２基板４４０及び／またはバッテリ部４３０が、スマート生理カップ１００に固定されていない場合には、測定部４１０また第２基板４４０、及び／またはバッテリ部４３０と共に移動することになり、その結果、測定部４１０を介して測定する経血の特性を正しく測定することができない。従って、第２基板４４０及び／またはバッテリ部４３０は、底面またはその一部が、スマート生理カップ１００に固定されるようにも製作される。
【００５８】
選択的には、測定部４１０は、色相感知センサを含んでもよい。色相感知センサを含む測定部４１０は、保存部２００に収容される経血色相を、区画部１１０を透過する光を介して確認することができる。そのとき、スマート生理カップ１００の全体または一部の材質は、光を透過しやすい材質によっても製作される。または、区画部１１０の全体または一部の材質は、光を透過しやすい材質によっても製作される。例えば、スマート生理カップ１００及び／または区画部１１０の少なくとも一部は、完全に透明な材質によって製作されるか、あるいは所定レベル以上の光が透過される材質によっても製作される。
【００５９】
色相感知センサは、赤色、緑色、青色を感知することができるＲＧＢセンサによっても具備されるが、色相感知センサの種類は、それらに限定されるものではなく、光または色相を区別することができる多種のセンサでもある。
【００６０】
制御部４００は、測定部４１０を介して測定された色相を基に、信号を生成することができる。例えば、制御部４００は、測定部４１０を介して測定された色相自体に係わる情報を含む信号を生成することができる。または、制御部４００は、測定部４１０を介して測定された色相によって、スマート生理カップ１００ユーザの健康状態を判断することができ、判断した健康状態に係わる情報を含む信号を生成することもできる。制御部４００で生成された信号を、通信部３５０を介して外部電子装置に送信することができる。そのとき、該外部電子装置は、受信した信号に含まれている情報を確認して出力することができる。例えば、制御部４００は、測定部４１０を介して測定された色相情報を含む信号を生成することができる。その場合、該外部電子装置は、当該色相を視覚的に表示することができ、スマート生理カップ１００のユーザは、当該色相を確認することにより、現在スマート生理カップ１００に収容された経血色相を確認することができる。
【００６１】
一方、色相感知センサを含む測定部４１０は、区画部１１０に固定されるようにも製作される。具体的には、区画部１１０に加えられる経血の圧力により、区画部１１０が移動する。もし区画部１１０と測定部４１０とが固定されていない場合、区画部１１０と測定部４１０との距離が変更され、それにより、測定部４１０に含まれる色相感知センサを介して測定される色相に誤差が発生してしまう。従って、測定部４１０は、区画部１１０に固定されるようにも製作される。または、測定部４１０が形成される第１基板４２０の一端またはその一部が、区画部１１０に固定されるようにも製作される。
【００６２】
図７は、本発明の他の実施形態によるスマート生理カップを示した図面である。
【００６３】
図７を参照すれば、スマート生理カップ１００は、スマート生理カップ１００の保存部２００の内面に配置される測定センサＳを含んでもよい。そのとき、測定センサＳは、接触感知センサ、水分感知センサ、光感知センサなど多種のセンサでもある。測定センサＳは、測定センサＳが配置されている位置またはその近傍まで経血が収容されているか否かということを測定することができる。その後、測定センサＳは、測定結果を制御部４００に送信することができる。それを介して、制御部４００は、保存部２００に収容された経血の量または水位が基準値を超えるか否かということなどを確認することができ、それに対応して信号を生成することができる。または、制御部４００は、測定された経血の水位、及び既入力の生理カップ容器の内積から、収容された経血の体積を計算することができ、制御部４００は、それに対応する信号を生成することもできる。
【００６４】
そのとき、スマート生理カップ１００の保存部２００の内面に配置される測定センサＳは、２以上でもある。例えば、スマート生理カップ１００は、保存部２００に配置される第１測定センサＳ１、第２測定センサＳ２及び第３測定センサＳ３を含んでもよい。その場合、制御部４００は、それぞれの測定センサＳからの測定結果を基に、ユーザにお知らせ信号を生成することができる。例えば、第１測定センサＳ１だけにおいて経血の存在が確認される場合、制御部４００は、弱い警告信号を生成することができ、第１測定センサＳ１及び第２測定センサＳ２で経血の存在が確認される場合、制御部４００は、強い警告信号を生成することができ、第３測定センサＳ３を含む全ての測定センサＳで経血の存在が確認される場合、制御部４００は、危険信号を生成することができる。または、スマート生理カップ１００は、保存部２００の内面に配置される複数の測定センサＳを利用して、保存部２００に収容された経血の量または水位を確認することができ、確認した水位、及び既入力の生理カップ容器の内積から、収容された経血の体積を計算することもできる。
【００６５】
または、測定センサＳは、静電容量センサのような電気的特性を特定するセンサでもある。かような測定センサＳは、導電体で構成され、スマート生理カップ１００の上部から下部まで複数個配置され、制御部４００は、複数の測定センサＳから測定される電気的特性（例えば、誘電率）を利用して、経血の体積を測定することもできる。
【００６６】
図８は、本発明の他の実施形態によるスマート生理カップの制御部及びその他構成要素を示した図面である。
【００６７】
図８を参照すれば、スマート生理カップ１００は、人間の五感のうち少なくとも一つを介して感知することができる感覚信号を発する感覚信号発生部５００をさらに含んでもよい。該感覚信号は、微細な振動を発するハプティック信号でもあり、微細な温度変化を発する信号でもあり、微細な音を発する信号でもあり、それ以外に、人間の五感のうち少なくとも一つを介して感知することができる現象を発生させる多様な信号でもある。
【００６８】
制御部４００は、測定部４１０を介して測定した結果により、感覚信号発生部５００で感覚信号を発するように、感覚信号発生部５００を制御することができる。そのとき、制御部４００は、感覚信号発生部５００を制御するための制御信号を生成することができる。例えば、測定部４１０を介した測定結果、所定基準以上、経血がスマート生理カップ１００に収容された場合、制御部４００は、測定部４１０の測定結果を基に、感覚信号発生部５００で感覚信号を発するようにする制御信号を生成することができる。感覚信号発生部５００は、制御部４００からの制御信号によって感覚信号を発することができる。例えば、感覚信号発生部５００は、スマート生理カップ１００のユーザは認知することができるが、周辺の他の人々は感知することができない微細な振動を発生させることができる。それを介して、スマート生理カップ１００のユーザは、個人のプライバシーを維持しながら、スマート生理カップ１００に収容された経血の量などを確認することができる。
【００６９】
図９は、本発明のさらに他の実施形態によるスマート生理カップを示した図面である。
【００７０】
図９を参照すれば、スマート生理カップ１００は、多様な位置のうち少なくとも１ヵ所に、感覚信号発生部５００を含んでもよい。例えば、スマート生理カップ１００は、取っ手部３００の内面に長く配列される第１感覚信号発生部５０１を含んでもよい。他の例示として、スマート生理カップ１００は、制御部４００内に含まれる第２感覚信号発生部５０２を含んでもよい。他の例示として、スマート生理カップ１００は、保存部２００の外部または内部に含まれる第３感覚信号発生部５０３を含んでもよい。または、スマート生理カップ１００は、前述の多様な位置のうち少なくとも１ヶ所以上に、１以上の感覚信号発生部５００を含むこともできる。図示されていないが、スマート生理カップ１００は、通信部３５０及び感覚信号発生部５００を同時に含んでもよい。さらに、スマート生理カップ１００は、保存部２００、取っ手部３００、通信部３５０、制御部４００及び／または感覚信号発生部５００のうち少なくとも２以上の機能を含む装置を含む形態によっても具現される。
【００７１】
本発明で説明する特定実行は、一実施形態であり、いかなる方法によっても、本発明の範囲を限定するものではない。明細書の簡潔さのために、従来の電子的な構成、制御システム、ソフトウェア、前記システムの他の機能的な側面の記載は、省略される。また、図面に図示された構成要素間の線の連結または連結部材は、機能的な連結、及び／または物理的または回路的な連結を例示的に示したものでありて、実際の装置では、代替可能であったり、追加されたりする多様な機能的な連結、物理的な連結または回路連結としても示される。また、「必須な」、「重要に」というような具体的な言及がなければ、本発明の適用のために、必ずしも必要な構成要素ではないこともある。
【００７２】
従って、本発明の思想は、前述の実施形態に限って決められるものではなく、特許請求の範囲だけではなく、その特許請求の範囲と均等、またはそれらから等価的に変更された全ての範囲は、本発明の思想の範疇に属するとするのである。
【産業上の利用可能性】
【００７３】
本発明は、経血漏れ防止ツール除去前にも、生理量を把握することができるようにし、生理カップの管理時期を把握することを可能にし、経血色を正しく把握することができる方法を提供し、ユーザの健康状態などに係わる情報を提供することができるスマート生理カップ、及びスマート生理カップを利用した経血測定方法に係り、それによりユーザに便利な使用方法を提供し、有用な情報を提供するためのスマート生理カップの製造などに使用が可能である。
【図１】
0006740344.tif 000002
【図２】
0006740344.tif 000003
【図３】
0006740344.tif 000004
【図４】
0006740344.tif 000005
【図５】
0006740344.tif 000006
【図６】
0006740344.tif 000007
【図７】
0006740344.tif 000008
【図８】
0006740344.tif 000009
【図９】
0006740344.tif 000010